【手続補正書】
【提出日】平成19年12月20日(2007.12.20)
【手続補正１】
【補正対象書類名】明細書
【補正対象項目名】特許請求の範囲
【補正方法】変更
【補正の内容】
【特許請求の範囲】
【請求項１】
撮影レンズ装置の交換が可能であり、撮像素子による撮影画像を電子データとして記録する撮像装置であって、
装着された撮影レンズ装置から、この撮影レンズ装置のＭＴＦに関連する情報を受信し、
前記撮像素子により撮像された画像を記録するためのデータサイズを、受信したＭＴＦに関連する情報に対応したデータサイズに設定する制御手段を有することを特徴とする撮像装置。
【請求項２】
前記制御手段は、受信したＭＴＦに関連する情報に基づいて、装着された撮影レンズ装置により形成される画像の精細度に応じたデータサイズを設定することを特徴とする請求項１に記載の撮像装置。
【請求項３】
記録される撮影画像のデータサイズ又は画像精細度を使用者により選択させる選択手段を有しており、
前記制御手段は、この選択手段により選択されたデータサイズ又は画像精細度が、前記制御手段が前記受信したＭＴＦに関連する情報を用いて設定したデータサイズ又はこのデータサイズに対応する画像精細度よりも大きいときに警告動作を行うことを特徴とする請求項１又は２に記載の撮像装置。
【請求項４】
前記制御手段は、前記選択手段により選択されたデータサイズ又は画像精細度が、前記制御手段が前記受信したＭＴＦに関連する情報を用いて設定したデータサイズ又はこのデータサイズに対応する画像精細度以下のときは、前記選択手段により選択されたデータサイズ又は画像精細度での撮影画像の記録を許容することを特徴とする請求項３に記載の撮像装置。
【請求項５】
前記制御手段は、設定したデータサイズに関連する情報を表示手段に表示させることを特徴とする請求項１から４のいずれか１つに記載の撮像装置。
【請求項６】
撮影レンズ装置の交換が可能であり、撮像素子により画像を撮影する撮像装置であって、
装着された撮影レンズ装置から、この撮影レンズ装置のＭＴＦに関連する情報を受信し、
この受信したＭＴＦに関連する情報に基づいて、前記撮影レンズ装置内に設けられた光量調節手段の動作範囲を可変設定する制御手段を有することを特徴とする撮像装置。
【請求項７】
前記制御手段は、受信したＭＴＦに関連する情報に基づいて、前記光量調節手段によって調節可能な最大Ｆ値を設定することを特徴とする請求項６に記載の撮像装置。
【請求項８】
撮像装置に対して交換が可能な撮影レンズ装置であって、
この撮影レンズ装置のＭＴＦに関連する情報を記憶する記憶手段と、
この記憶手段に記憶されたＭＴＦに関連する情報を、該撮影レンズ装置が装着された前記撮像装置からの指令に応じて送信する制御手段とを有することを特徴とする撮影レンズ装置。
【請求項９】
前記記憶手段は、この撮影レンズ装置の焦点距離およびＦ値のうち少なくとも一方に応じたＭＴＦに関連する情報を記憶していることを特徴とする請求項８に記載の撮影レンズ装置。
【請求項１０】
請求項１から５のいずれか１つに記載の撮像装置と、請求項８又は９に記載の撮影レンズ装置とを有して構成されることを特徴とする撮影システム。
【請求項１１】
撮像装置に対して交換が可能な撮影レンズ装置であって、
この撮影レンズ装置のＭＴＦに関連する情報を記憶する記憶手段と、
この記憶手段に記憶されたＭＴＦに関連する情報を、該撮影レンズ装置が装着された前記撮像装置からの指令に応じて送信するとともに、前記撮像装置から受信した、光量調節手段の動作範囲の設定情報に基づいて前記光量調節手段を制御する制御手段とを有することを特徴とする撮影レンズ装置。
【請求項１２】
前記記憶手段は、この撮影レンズ装置の焦点距離およびＦ値のうち少なくとも一方に応じたＭＴＦに関連する情報を記憶していることを特徴とする請求項１１に記載の撮影レンズ装置。
【請求項１３】
請求項６又は７に記載の撮像装置と、請求項１１又は１２に記載の撮影レンズ装置とを有して構成されることを特徴とする撮影システム。
【請求項１４】
撮影レンズ装置の交換が可能であり、撮像素子による画像撮影を行う撮像装置であって、
装着された撮影レンズ装置から、この撮影レンズ装置の有効像円に関連する情報を受信し、
この受信した有効像円に関連する情報に基づいて、前記撮像素子上での画像取得範囲が受信した有効像円の範囲内に含まれるように前記画像取得範囲の大きさを可変設定する制御手段を有することを特徴とする撮像装置。
【請求項１５】
前記制御手段は、受信した有効像円に関連する情報に基づいて、装着された撮影レンズ装置の有効像円径に略一致する寸法の画像取得範囲を設定することを特徴とする請求項１４に記載の撮像装置。
【請求項１６】
前記制御手段は、設定した画像取得範囲により取得される画像又は設定した画像取得範囲の大きさに関連する情報を表示手段に表示させることを特徴とする請求項１４又は１５に記載の撮像装置。
【請求項１７】
前記制御手段は、設定した画像取得範囲の大きさに関連する情報を、１３５フィルムフォーマットに変換して前記表示手段に表示させることを特徴とする請求項１６に記載の撮像装置。
【請求項１８】
撮影レンズ装置の交換が可能であり、撮像素子による画像撮影を行うとともに、装置振れに応じて前記撮像素子上で画像取得範囲を移動させることにより電子的に像振れを補正する撮像装置であって、
装着された撮影レンズ装置から、この撮影レンズ装置の有効像円に関連する情報を受信し、
この受信した有効像円に関連する情報に基づいて、像振れ補正のために前記撮像素子上において画像取得範囲を移動させることが可能な移動許容範囲を可変設定する制御手段を有することを特徴とする撮像装置。
【請求項１９】
前記制御手段は、前記撮像素子の撮像面のうち前記有効像円に含まれる領域内で最大の移動許容範囲を設定することを特徴とする請求項１８に記載の撮像装置。
【請求項２０】
前記制御手段は、受信した有効像円に関連する情報と装着された撮影レンズ装置の焦点距離情報とに基づいて、前記移動許容範囲を可変設定することを特徴とする請求項１８又は１９に記載の撮像装置。
【請求項２１】
撮像装置に対して交換が可能な撮影レンズ装置であって、
この撮影レンズ装置の有効像円に関連する情報を記憶する記憶手段と、
この記憶手段に記憶された有効像円に関連する情報を、該撮影レンズ装置が装着された前記撮像装置からの指令に応じて送信する制御手段とを有することを特徴とする撮影レンズ装置。
【請求項２２】
前記記憶手段に、この撮影レンズ装置の焦点距離およびＦ値のうち少なくとも一方に応じた有効像円に関連する情報が記憶されていることを特徴とする請求項２１に記載の撮影レンズ装置。
【請求項２３】
請求項１４から２０のいずれか１つに記載の撮像装置と、請求項２１又は２２に記載の撮影レンズ装置とを有して構成されることを特徴とする撮影システム。
【手続補正２】
【補正対象書類名】明細書
【補正対象項目名】００３０
【補正方法】変更
【補正の内容】
【００３０】
図１０にその原理を示す。図１０のグラフにおいて、横軸に焦点調節のためのレンズ群位置をとり、縦軸に撮像信号の高周波成分（焦点電圧）をとる。図中、矢印で示した位置Ａで焦点電圧のピークを示しており、この位置Ａがピントが合った状態のレンズ位置となる。
【手続補正３】
【補正対象書類名】明細書
【補正対象項目名】００３７
【補正方法】変更
【補正の内容】
【００３７】
８０５の結像位置にはＣＣＤ等の撮像素子が配置される。そして、この撮像素子を通じて輝度信号Ｙが作られ、所定枠７１８内の情報が焦点検出回路（ＡＦ回路）８２１に取り込まれる。
【手続補正４】
【補正対象書類名】明細書
【補正対象項目名】００７６
【補正方法】変更
【補正の内容】
【００７６】
有効像円については、レンズの設計製造に際してＣＣＤのサイズに合わせて、けられが発生しないように設計される。解像性能については、レンズの設計製造に際してＣＣＤの画素ピッチ仕様などから設計値が定まる。
【手続補正５】
【補正対象書類名】明細書
【補正対象項目名】００８４
【補正方法】変更
【補正の内容】
【００８４】
【課題を解決するための手段】
上記の目的を達成するために本願第１の発明では、撮影レンズ装置の交換が可能であり、撮像素子による撮影画像を電子データとして記録する撮像装置において、装着された撮影レンズ装置から、この撮影レンズ装置のＭＴＦ(ModulationTransfer Function ：いわば解像性能ないしコントラストの再現率) に関連する情報を受信し、撮像された画像を記録するためのデータサイズを、受信したＭＴＦに関連する情報に対応したデータサイズに可変設定する制御手段を設けている。
【手続補正６】
【補正対象書類名】明細書
【補正対象項目名】００８５
【補正方法】変更
【補正の内容】
【００８５】
これにより、装着された撮影レンズ装置の解像性能に応じた最適な、すなわち無駄のないデータサイズ（ファイルサイズ）で画像を記録することが可能となり、効率的な画像記録を行うことが可能となる。
【手続補正７】
【補正対象書類名】明細書
【補正対象項目名】００８６
【補正方法】変更
【補正の内容】
【００８６】
例えば、通常のテレビフォーマットに応じたＶＧＡと称する画質記録を目的とした撮影レンズ装置を装着した場合において、その撮像装置が３００万画素の撮像素子を有していて、３００万画素に応じたファイルサイズで画像を記録しても、この撮影レンズ装置は３００万画素の撮像素子で得られるはずの最高解像性能を得られないのであるから、不必要に大きなファイルサイズを用いていることになり効率が悪い。そこで、このような場合には、その撮影レンズ装置の性能（例えば、形成される画像の精細度）に応じて記録ファイルサイズ（使用ファイルサイズ）を縮小し、十分かつ最小のファイルサイズを設定すればよい。
【手続補正８】
【補正対象書類名】明細書
【補正対象項目名】００８７
【補正方法】変更
【補正の内容】
【００８７】
なお、データサイズ又は画像精細度の使用者による選択が可能である場合において、使用者により選択されたデータサイズ又は画像精細度が、上記制御手段が上記受信したＭＴＦに関連する情報を用いて設定したデータサイズ又はこのデータサイズに対応する画像精細度よりも大きいときに警告動作を行わせるようにして、効率が悪い撮影であることを使用者に知らせることができるようにしてもよい。
【手続補正９】
【補正対象書類名】明細書
【補正対象項目名】００９０
【補正方法】変更
【補正の内容】
【００９０】
これにより、装着された撮影レンズ装置の解像性能に応じた最適な、例えば小絞り回折が発生しない範囲で撮影レンズ装置内の光量調節手段に光量を調節させ、高画質の画像を記録することが可能となる。
【手続補正１０】
【補正対象書類名】明細書
【補正対象項目名】００９１
【補正方法】変更
【補正の内容】
【００９１】
具体的には、例えば、制御手段に、受信したＭＴＦに関連する情報に基づいて光量調節手段によって調節可能な最大Ｆ値を設定させ、その情報を撮影レンズ装置に対して送信させるようにすればよい。
【手続補正１１】
【補正対象書類名】明細書
【補正対象項目名】００９２
【補正方法】変更
【補正の内容】
【００９２】
また、本願第３の発明では、上記第１の発明の撮像装置の機能を有効に利用するため、撮像装置に対して交換が可能な撮影レンズ装置において、この撮影レンズ装置のＭＴＦに関連する情報を記憶する記憶手段と、この記憶手段に記憶されたＭＴＦに関連する情報を、撮影レンズ装置が装着された撮像装置からの指令に応じて送信する制御手段とを設けている。
【手続補正１２】
【補正対象書類名】明細書
【補正対象項目名】００９３
【補正方法】変更
【補正の内容】
【００９３】
さらに、本願第４の発明では、上記第２の発明の撮像装置の機能を有効に利用するため、撮像装置に対して交換が可能な撮影レンズ装置において、この撮影レンズ装置のＭＴＦに関連する情報を記憶する記憶手段と、この記憶手段に記憶されたＭＴＦに関連する情報を、撮影レンズ装置が装着された撮像装置からの指令に応じて送信するとともに、撮像装置から受信した、光量調節手段の動作範囲の設定情報に基づいて光量調節手段を制御する制御手段とを設けている。
【手続補正１３】
【補正対象書類名】明細書
【補正対象項目名】００９４
【補正方法】変更
【補正の内容】
【００９４】
なお、上記記憶手段に、この撮影レンズ装置の焦点距離およびＦ値のうち少なくとも一方に応じたＭＴＦに関連する情報を記憶させるようにすれば、撮影装置側において焦点距離およびＦ値のうち少なくとも一方に応じたＭＴＦに関連する情報に基づいてデータサイズを設定したり、撮影レンズ装置側において撮像装置側から返された光量調節手段の最大Ｆ値の情報に応じて光量調節を行うようにしたりすることが可能となり、より効率的な撮影を行うことが可能となる。
【手続補正１４】
【補正対象書類名】明細書
【補正対象項目名】００９５
【補正方法】変更
【補正の内容】
【００９５】
また、本願第５の発明では、撮影レンズ装置の交換が可能であり、撮像素子による画像撮影を行う撮像装置において、装着された撮影レンズ装置から、この撮影レンズ装置の有効像円に関連する情報を受信し、この受信した有効像円に関連する情報に基づいて、撮像素子上での画像取得範囲が受信した有効像円の範囲内に含まれるように画像取得範囲の大きさを可変設定する制御手段を設けている。
【手続補正１５】
【補正対象書類名】明細書
【補正対象項目名】００９６
【補正方法】変更
【補正の内容】
【００９６】
これにより、装着された撮影レンズ装置の有効像円に応じた最適な、すなわち無駄のないかつ画像がけられない大きさの画像取得範囲で画像を記録することが可能となり、効率的でけられのない画像記録を行うことが可能となる。
【手続補正１６】
【補正対象書類名】明細書
【補正対象項目名】０１００
【補正方法】変更
【補正の内容】
【０１００】
また、本願第６の発明では、撮影レンズ装置の交換が可能であり、撮像素子による画像撮影を行うとともに、装置振れに応じて撮像素子上での画像取得範囲（いわゆる画像の切り出し範囲）を移動させることにより電子的に像振れを補正する撮像装置において、装着された撮影レンズ装置から、この撮影レンズ装置の有効像円に関連する情報を受信し、この受信した有効像円に関連する情報に基づいて、像振れ補正のために撮像素子上において画像取得範囲を移動させることが可能な移動許容範囲を可変設定する制御手段を有する。
【手続補正１７】
【補正対象書類名】明細書
【補正対象項目名】０１０１
【補正方法】変更
【補正の内容】
【０１０１】
これにより、装着された撮影レンズ装置の有効像円に応じた最適な、すなわち無駄のないかつ画像がけられない最大の移動許容範囲を設定することが可能となり、けられがなく効果的な振れ補正を行うことが可能となる。
【手続補正１８】
【補正対象書類名】明細書
【補正対象項目名】０１０４
【補正方法】変更
【補正の内容】
【０１０４】
また、本願第７の発明では、上記第５又は６の撮像装置の機能を有効に利用するために、撮像装置に対して交換が可能な撮影レンズ装置において、この撮影レンズ装置の有効像円に関連する情報を記憶する記憶手段と、この記憶手段に記憶された有効像円に関連する情報を、この撮影レンズ装置が装着された撮像装置からの指令に応じて送信する制御手段とを設けている。
【手続補正１９】
【補正対象書類名】明細書
【補正対象項目名】０１０５
【補正方法】変更
【補正の内容】
【０１０５】
なお、記憶手段に、この撮影レンズ装置の焦点距離およびＦ値のうち少なくとも一方に応じた有効像円に関連する情報を記憶させるようにすれば、撮影装置側において焦点距離およびＦ値のうち少なくとも一方に応じた有効像円に関連する情報に基づいてより最適化された画像取得範囲や移動許容範囲を設定することが可能となる。
【手続補正２０】
【補正対象書類名】明細書
【補正対象項目名】０１１８
【補正方法】変更
【補正の内容】
【０１１８】
ＣＣＤ２２１はＣＣＤドライブ回路５１３により駆動される。ＣＣＤ２２１から得られた画素ごとの電荷蓄積による映像信号（撮影画像）は、Ａ／Ｄ変換部５０９にてデジタル信号化された後、カメラ信号処理回路５１０にて所定の信号処理（増幅やガンマ補正など）が施される。この信号処理を施された映像信号は、ＡＦゲート２３０で所定の中央付近だけを取り出され、ＡＦ信号処理回路２３１にてＹ信号の高周波成分に関する情報に加工された後にカメラマイコン４０９に送られる。
【手続補正２１】
【補正対象書類名】明細書
【補正対象項目名】０１２１
【補正方法】変更
【補正の内容】
【０１２１】
５１１は画像処理回路であり、カメラ信号処理回路５１０で生成された映像信号に対して、さらに電子ズーム処理を施して画像切り出しサイズを変更したり、不図示の電子的手振れ補正のための画像切り出し位置を変更したりする。また、これら以外に、画像解像度を変換して画像記録のためのファイルサイズ（データサイズ）を変更したり、圧縮処理をして撮影画像（電子データ）のデータサイズを変換したりする。さらに、レンズの有する歪曲収差を補正する処理を行う場合もある。
【手続補正２２】
【補正対象書類名】明細書
【補正対象項目名】０１２２
【補正方法】変更
【補正の内容】
【０１２２】
５１２は画像処理回路５１１の出力（電子データ）を記録媒体に記録する記録系である。記録媒体としては、カード、ディスク、テープなどが用いられる。
【手続補正２３】
【補正対象書類名】明細書
【補正対象項目名】０１４４
【補正方法】変更
【補正の内容】
【０１４４】
一方、ステップ６０４でオートモードではない（マニュアルモードである）と判定したときは、ステップ６０６にて撮影者が設定したファイルサイズＶｍを読み込む。マニュアルモードの場合は、撮影者の設定値を優先するので、ステップ６０７にて使用ファイルサイズＶをＶｍに設定する。
【手続補正２４】
【補正対象書類名】明細書
【補正対象項目名】０１４５
【補正方法】変更
【補正の内容】
【０１４５】
次に、ステップ６０８では、カメラマイコン４０９がＭＴＦ関連情報に基づいて設定したファイルサイズＶａと撮影者が設定したファイルサイズＶｍの大小比較を行う。Ｖａの方が大きい場合には、撮影者が設定したファイルサイズはレンズ性能から見て十分な精細度に対応するので、そのままステップ６０２に戻る。
【手続補正２５】
【補正対象書類名】明細書
【補正対象項目名】０１４６
【補正方法】変更
【補正の内容】
【０１４６】
一方、撮影者が設定したファイルサイズＶｍが、レンズ性能上、そこまで高精細度の設定をしても、それ以下の設定（高精細度の画像精細度以下）で記録した画質と差がないと判断した場合、すなわち、Ｖａ＜Ｖｍとなっている場合には、ステップ６０９にてファインダ表示部２３２にその旨の警告表示を行う。
【手続補正２６】
【補正対象書類名】明細書
【補正対象項目名】０１４７
【補正方法】変更
【補正の内容】
【０１４７】
撮影者はこの警告表示を見ることで、無駄に記録媒体の容量を消費する設定をしていることに気付き、マニュアル設定した記録精細度を落とす等して使用データサイズを最適設定に近付けることができる。
【手続補正２７】
【補正対象書類名】明細書
【補正対象項目名】０１５２
【補正方法】変更
【補正の内容】
【０１５２】
レンズマイコン４１０は、マウントを介してカメラマイコン４０９にこの有効像円関連情報を送信する。この送信される有効像円関連情報は、第１実施形態のＭＴＦ関連情報と同様に、生の有効像円データでもよいし、これを適宜変換した情報であってもよい。
【手続補正２８】
【補正対象書類名】明細書
【補正対象項目名】０１６４
【補正方法】変更
【補正の内容】
【０１６４】
ステップ６１３では、この有効像円情報（有効像円径）Ａとカメラ側のＣＣＤ２２１の有効対角長Ｃの値とを比較する。この比較の結果、ＣＣＤ２２１の有効対角長Ｃの方が大きい場合（そのレンズではけられてしまう）には、けられない切り出し範囲をステップ６１４で設定する。
【手続補正２９】
【補正対象書類名】明細書
【補正対象項目名】０１６５
【補正方法】変更
【補正の内容】
【０１６５】
また、レンズ側の有する有効像円がＣＣＤをカバーしている場合（有効像円径Ａが有効対角長Ｃよりも大きい場合）には、ステップ６１５にて、切り出し設定を解除する（解除してある場合はそのままとする）。
【手続補正３０】
【補正対象書類名】明細書
【補正対象項目名】０１７８
【補正方法】変更
【補正の内容】
【０１７８】
この場合、焦点距離によって補正可能な最大振れ角度が異なる（ＣＣＤ上における画像切り出し範囲の移動可能量を一定にすると画像にけられが生じる）ので、カメラマイコン４０９は、画像切り出し範囲がそのときの焦点距離に応じた補正可能な最大振れ角度に対応する範囲内でのみ移動するように、画像切り出し範囲の移動を制限する。
【手続補正３１】
【補正対象書類名】明細書
【補正対象項目名】０１８６
【補正方法】変更
【補正の内容】
【０１８６】
図６において、ステップ６１６でスタートすると、ステップ６１７でそのときに設定されている焦点距離ｆの値を検出し、次にステップ６１８で、そのｆの値での有効像円を決定する。これは、図５に示したような関係を記憶させたテーブルをマイコン内に設け、このテーブルから読み出すなどの方法となる。
【手続補正３２】
【補正対象書類名】明細書
【補正対象項目名】０１８７
【補正方法】変更
【補正の内容】
【０１８７】
そして、ステップ６１９で、この決定した有効像円情報をカメラマイコンへ通信する。
【手続補正３３】
【補正対象書類名】明細書
【補正対象項目名】０１８９
【補正方法】変更
【補正の内容】
【０１８９】
ステップ６２２では、手ぶれ補正（ＩＳ）がＯＮであるかどうかを判断し、ＯＦＦの場合は、図３におけるステップ６１３への移行と同等となり、図３のステップ６１４，６１５と同じ処理を行う。
【手続補正３４】
【補正対象書類名】明細書
【補正対象項目名】０１９０
【補正方法】変更
【補正の内容】
【０１９０】
ＩＳがＯＮの場合にはステップ６２４にて切り出し位置が、ＣＣＤ２２１の有効画面の中心から上下左右にどれくらい移動できるかを、例えば走査線本数や画素列数などで決定する。そして、けられないで動かせる範囲を、有効像円情報Ａから決める。この際、有効像円情報ＡとＣＣＤ対角長情報Ｃの値を用いることになる。
【手続補正３５】
【補正対象書類名】明細書
【補正対象項目名】０１９２
【補正方法】変更
【補正の内容】
【０１９２】
【発明の効果】
以上説明したように、本願第１および第３の発明によれば、撮像された画像を記録するためのデータサイズを、撮影レンズ装置から受信したＭＴＦに関連する情報に対応したデータサイズに設定するので、装着された撮影レンズ装置の解像性能に応じた最適な、すなわち無駄のない使用データサイズ（ファイルサイズ）で画像を記録することができ、効率的な画像記録を行うことができる。
【手続補正３６】
【補正対象書類名】明細書
【補正対象項目名】０１９３
【補正方法】変更
【補正の内容】
【０１９３】
なお、データサイズ又は画像精細度の使用者による選択が可能である場合において、使用者により選択されたデータサイズ（又は画像精細度）が、上記制御手段が上記受信したＭＴＦに関連する情報を用いて設定したデータサイズ（又はこのデータサイズに対応した画像精細度）よりも大きいときに警告動作を行わせるようにすれば、効率が悪い撮影であることを使用者に確実に知らせることができる。
【手続補正３７】
【補正対象書類名】明細書
【補正対象項目名】０１９４
【補正方法】変更
【補正の内容】
【０１９４】
また、本願第２および第４の発明によれば、撮影レンズ装置から受信したＭＴＦに関連する情報（指令）に基づいて、撮影レンズ装置内に設けられた光量調節手段の調節範囲（指令）を可変設定するようにしているので、装着された撮影レンズ装置の解像性能に応じた最適な、例えば小絞り回折が発生しない範囲で撮影レンズ装置内の光量調節手段に光量を調節させ、高画質の画像を記録することができる。
【手続補正３８】
【補正対象書類名】明細書
【補正対象項目名】０１９６
【補正方法】変更
【補正の内容】
【０１９６】
また、本願第５および第７の発明によれば、撮影レンズ装置から受信した有効像円に関連する情報に基づいて、撮像素子上での画像取得範囲の大きさを可変設定するようにしているので、装着された撮影レンズ装置の有効像円に応じた最適な、すなわち無駄のないかつ画像がけられない大きさの画像取得範囲で画像を記録することができ、効率的でけられのない画像記録を行うことができる。
【手続補正３９】
【補正対象書類名】明細書
【補正対象項目名】０１９７
【補正方法】変更
【補正の内容】
【０１９７】
また、本願第６および第７の発明によれば、撮影レンズ装置から受信した有効像円に関連する情報に基づいて、電子的像振れ補正のために撮像素子上において画像取得範囲を移動させることが可能な移動許容範囲を可変設定するので、装着された撮影レンズ装置の有効像円に応じた最適な、すなわち無駄のないかつ画像がけられない最大の移動許容範囲を設定することができ、けられがなく効果的な振れ補正を行うことができる。
【手続補正４０】
【補正対象書類名】明細書
【補正対象項目名】０１９８
【補正方法】変更
【補正の内容】
【０１９８】
なお、撮影レンズ装置から受信する有効像円に関連する情報を、この撮影レンズ装置の焦点距離およびＦ値のうち少なくとも一方に応じた有効像円に関連する情報とすれば、より有効な像振れ補正を行うことができる。